(57)【特許請求の範囲】
【請求項１】
押し込み可能な一対のソケットが対向状態に並ぶ蛍光灯用器具に対し、蛍光灯を着脱するために用いられる蛍光灯交換具であって、
蛍光灯の外周面と当接する上方が開放された半円筒状に形成された樋状部と、当該樋状部の長手方向の一端部に略対向して設けられ、蛍光灯の外周面と当接する舌片部と、からなり、当該樋状部と舌片部の間に貫入された蛍光灯を保持する第１の保持部と、
前記第１の保持部に対してその長手方向に所定の間隔で離間して設けられ、上方に開口が形成されて当該開口から押し入れられた蛍光灯を保持する第２の保持部と、
上方が開口された半円筒状に形成されており、前記第１の保持部と第２の保持部とを前記所定の間隔で離間し、かつ同軸上に配設するソケット当接部と、
前記第１の保持部、第２の保持部及びソケット当接部を取り付けるための梁部と、
前記梁部と略直角に連結され、蛍光灯を着脱する際に前記第１の保持部、第２の保持部及びソケット当接部を操作するための棒状の操作部とを備え、
前記舌片部は、前記樋状部の一端部の片側縁部から周方向に１８０°延出するように形成され、かつ、該舌片部の周方向先端が前記片側縁部の向かい側にある他の縁部から桶状部の長手方向に隔たりを有しており、前記他の縁部と該舌片部の周方向先端との間を通して、前記樋状部の長手方向に所定の角度だけ相対的に傾けた状態の蛍光灯を当該第１の保持部内方に差し込めるように形成されており、
蛍光灯を前記第１の保持部内方に差し込ませ、蛍光灯の中心軸と当該第１の保持部の中心軸とが一致するまで蛍光灯に対して相対的に旋回させると、蛍光灯が前記樋状部と舌片部の間に貫入されて当該第１の保持部によって保持されると共に、前記第２の保持部の開口から押し入れられて当該第２の保持部によって保持されることを特徴とする蛍光灯交換具。
【請求項２】
前記操作部は、前記梁部と固定される中空状の固定用スリーブと、前記固定用スリーブに対して回転自在に貫入される回転用ポールとを有し、
前記第１の保持部の樋状部と第２の保持部とが一体的に形成されて１つの保持ユニットを構成しており、かつ、前記ソケット当接部は、前記第１の保持部の長手方向に対してスライド自在に設けられ、前記回転用ポールを回転させると上記方向にスライドするように、当該回転用ポールとその中心軸に対して偏心した位置で連結され、かつ、前記ソケット当接部は、スライドさせていない状態で前記第１の保持部の舌片部を覆うように形成された端面当接部を有しており、
蛍光灯が前記第１の保持部及び第２の保持部によって保持され、前記ソケット当接部の端面当接部が前記一方のソケットの内方端面と当接した状態で、前記回転用ポールを所定の方向に回転させると、当該ソケット当接部が上記方向において当該第１の保持部に対して当該第２の保持部が位置する側とは反対側にスライドすることにより、当該第１の保持部及び第２の保持部が他方のソケット側の方向に移動し、蛍光灯を前記一方のソケットから離脱させることができることを特徴とする請求項１に記載の蛍光灯交換具。
【請求項３】
前記操作部は、前記梁部と固定される固定用ケースと、前記固定用ケースに対して回動自在に軸支された回動用ポールとを有し、
前記回動用ポールには、当該回動用ポールが前記梁部と略直角になるように付勢する引張コイルばねが設けられ、
前記第１の保持部の樋状部と第２の保持部とが一体的に形成されて１つの保持ユニットを構成しており、かつ、前記ソケット当接部は、前記第１の保持部の長手方向に対してスライド自在に設けられ、前記回動用ポールを回動させると上記方向にスライドするように、当該回動用ポールと連結され、かつ、前記ソケット当接部は、スライドさせていない状態で前記第１の保持部の舌片部を覆うように形成された端面当接部を有しており、
蛍光灯が前記第１の保持部及び第２の保持部によって保持され、前記ソケット当接部の端面当接部が前記一方のソケットの内方端面と当接した状態で、前記回動用ポールを前記引張コイルばねの付勢力に抗して回動させると、当該ソケット当接部が上記方向において当該第１の保持部に対して当該第２の保持部が位置する側とは反対側にスライドすることにより、当該第１の保持部及び第２の保持部が他方のソケット側の方向に移動し、蛍光灯を前記一方のソケットから離脱させることができることを特徴とする請求項１に記載の蛍光灯交換具。
【発明の詳細な説明】
【技術分野】
【０００１】
本発明は、天井等の高所に設置された蛍光灯用器具に対して蛍光灯を着脱する際に用いる蛍光灯交換具に関する。
【背景技術】
【０００２】
一般に、蛍光灯は工場、オフィスや家屋等、様々な場所に設置されており、設置場所において必要とされる照度や光色等に応じて、多種にわたって開発されている。中でも、工場やオフィス等の高い照度が必要とされる環境では、定格消費電力の大きい直管型の蛍光灯が主として使用されている。
【０００３】
このような直管型の蛍光灯は、天井等に設置された蛍光灯用器具に装着されると、電気的に接続されて点灯を行う。蛍光灯の装着は、蛍光灯用器具において対向状態に配された一対のソケットに、蛍光灯のランプピンを挿嵌させることにより行われ、このソケットは押し込み可能に構成されて蛍光灯の両端面を狭持するものが多い。
【０００４】
ところで、蛍光灯がその寿命や蛍光灯用器具との接触不良等によって正常に点灯しなくなったときは、交換作業や点検作業が必要とされる。その際、蛍光灯用器具が高所に位置する場合には、脚立や椅子等を用いて蛍光灯用器具に手が届くような状態にして、蛍光灯を着脱していた。しかし、作業に際し、脚立等が倒れたり、蛍光灯が落下したりする等の種々の危険があると共に、蛍光灯用器具の設置場所によっては容易に蛍光灯を着脱することができなかった。
【０００５】
そこで、脚立等を用いずに、高所に設置された蛍光灯用器具に対して蛍光灯を着脱するようにしたものとして、細長い棒状の柄部材の先端部に、蛍光灯を保持するための蛍光灯保持機構を設けた蛍光灯交換具が開発されている（例えば、特許文献１及び特許文献２参照）。この蛍光灯交換具において、蛍光灯保持機構は、半円筒状の支持部材と支持部材に対し回動自在に取り付けられた狭着部材とで構成されており、柄部材の基端部には狭持部材と連結された操作レバーが設けられている。この蛍光灯交換具では、操作レバーを手元で操作して、蛍光灯を蛍光灯保持機構によって保持させた状態で柄部材を操作することにより、蛍光灯を着脱することが可能である。
【特許文献１】特開平８−４５４７０号公報
【特許文献２】特許平９−１４７７９３号公報
【発明の開示】
【発明が解決しようとする課題】
【０００６】
しかしながら、上述のような蛍光灯交換具では、構造が複雑になって製造コストがかかると共に、上記保持機構をスムーズに動作させるために、油差しや清掃等の煩雑なメンテナンス作業を必要とする。
【０００７】
本発明は、上記問題を解決するためになされたものであり、簡便な構成でありながら、高所に設置された蛍光灯用器具に対して蛍光灯を容易に着脱させることができる蛍光灯交換具を提供することを目的とする。
【課題を解決するための手段】
【０００８】
上記目的を達成するために請求項１の発明は、押し込み可能な一対のソケットが対向状態に並ぶ蛍光灯用器具に対し、蛍光灯を着脱するために用いられる蛍光灯交換具であって、蛍光灯の外周面と当接する上方が開放された半円筒状に形成された樋状部と、当該樋状部の長手方向の一端部に略対向して設けられ、蛍光灯の外周面と当接する舌片部と、からなり、当該樋状部と舌片部の間に貫入された蛍光灯を保持する第１の保持部と、前記第１の保持部に対してその長手方向に所定の間隔で離間して設けられ、上方に開口が形成されて当該開口から押し入れられた蛍光灯を保持する第２の保持部と、上方が開口された半円筒状に形成されており、前記第１の保持部と第２の保持部とを前記所定の間隔で離間し、かつ同軸上に配設するソケット当接部と、前記第１の保持部、第２の保持部及びソケット当接部を取り付けるための梁部と、前記梁部と略直角に連結され、蛍光灯を着脱する際に前記第１の保持部、第２の保持部及びソケット当接部を操作するための棒状の操作部とを備え、前記舌片部は、前記樋状部の一端部の片側縁部から周方向に１８０°延出するように形成され、かつ、該舌片部の周方向先端が前記片側縁部の向かい側にある他の縁部から桶状部の長手方向に隔たりを有しており、前記他の縁部と該舌片部の周方向先端との間を通して、前記樋状部の長手方向に所定の角度だけ相対的に傾けた状態の蛍光灯を当該第１の保持部内方に差し込めるように形成されており、蛍光灯を前記第１の保持部内方に差し込ませ、蛍光灯の中心軸と当該第１の保持部の中心軸とが一致するまで蛍光灯に対して相対的に旋回させると、蛍光灯が前記樋状部と舌片部の間に貫入されて当該第１の保持部によって保持されると共に、前記第２の保持部の開口から押し入れられて当該第２の保持部によって保持されるものである。
【０００９】
請求項２の発明は、請求項１に記載の発明において、前記操作部は、前記梁部と固定される中空状の固定用スリーブと、前記固定用スリーブに対して回転自在に貫入される回転用ポールとを有し、前記第１の保持部の樋状部と第２の保持部とが一体的に形成されて１つの保持ユニットを構成しており、かつ、前記ソケット当接部は、前記第１の保持部の長手方向に対してスライド自在に設けられ、前記回転用ポールを回転させると上記方向にスライドするように、当該回転用ポールとその中心軸に対して偏心した位置で連結され、かつ、前記ソケット当接部は、スライドさせていない状態で前記第１の保持部の舌片部を覆うように形成された端面当接部を有しており、蛍光灯が前記第１の保持部及び第２の保持部によって保持され、前記ソケット当接部の端面当接部が前記一方のソケットの内方端面と当接した状態で、前記回転用ポールを所定の方向に回転させると、当該ソケット当接部が上記方向において当該第１の保持部に対して当該第２の保持部が位置する側とは反対側にスライドすることにより、当該第１の保持部及び第２の保持部が他方のソケット側の方向に移動し、蛍光灯を前記一方のソケットから離脱させることができるものである。
【００１０】
請求項３の発明は、請求項１に記載の発明において、前記操作部は、前記梁部と固定される固定用ケースと、前記固定用ケースに対して回動自在に軸支された回動用ポールとを有し、前記回動用ポールには、当該回動用ポールが前記梁部と略直角になるように付勢する引張コイルばねが設けられ、前記第１の保持部の樋状部と第２の保持部とが一体的に形成されて１つの保持ユニットを構成しており、かつ、前記ソケット当接部は、前記第１の保持部の長手方向に対してスライド自在に設けられ、前記回動用ポールを回動させると上記方向にスライドするように、当該回動用ポールと連結され、かつ、前記ソケット当接部は、スライドさせていない状態で前記第１の保持部の舌片部を覆うように形成された端面当接部を有しており、蛍光灯が前記第１の保持部及び第２の保持部によって保持され、前記ソケット当接部の端面当接部が前記一方のソケットの内方端面と当接した状態で、前記回動用ポールを前記引張コイルばねの付勢力に抗して回動させると、当該ソケット当接部が上記方向において当該第１の保持部に対して当該第２の保持部が位置する側とは反対側にスライドすることにより、当該第１の保持部及び第２の保持部が他方のソケット側の方向に移動し、蛍光灯を前記一方のソケットから離脱させることができるものである。
【発明の効果】
【００１１】
請求項１の発明によれば、複雑な操作を行うことなく簡単且つ迅速に、蛍光灯を第１の保持部及び第２の保持部に保持させることができる。これにより、蛍光灯を保持した状態で、操作部を用いて蛍光灯をソケットに押し込むことにより、高所に設置された蛍光灯用器具に対して、脚立や椅子等に乗ることなく、蛍光灯を容易に着脱することが可能になる。また、蛍光灯用器具に装着された蛍光灯を第１の保持部及び第２の保持部に保持させる際に、蛍光灯に無理な力が作用することがなく、蛍光灯を傷つけることがない。また、部品数が少なく構造が簡単であるので、製作コストを低減でき、手入れが不要である。さらに、重量が軽いので、本交換具を操作し易い。
【００１２】
請求項２の発明によれば、第１の保持部及び第２の保持部を蛍光灯の脱着位置に位置決めした状態で、回転用ポールを回転させると、蛍光灯を一方のソケットから離脱させることができるので、操作部の周辺に障害物等があり、蛍光灯用器具に装着された蛍光灯をソケットに押し込むように操作部を操作することができない場合であっても、蛍光灯を取り外すことが可能になる。
【００１３】
請求項３の発明によれば、上述のように操作部を操作することができない場合であっても、回動用ポールを回動させることにより、蛍光灯を取り外すことが可能になる。
【発明を実施するための最良の形態】
【００１４】
（第１の実施形態）
本発明の第１の実施形態に係る蛍光灯交換具について図１乃至図４を参照して説明する。図１及び図２は、本実施形態に係る蛍光灯交換具の外観構成を示す。蛍光灯交換具（以下、本交換具という）１は、天井等の高所に設置された蛍光灯用器具２に対して直管型の蛍光灯３を着脱するために用いられるものであって、例えば、点灯しなくなった蛍光灯３を新しいものに交換する際や、蛍光灯３を取り外し、蛍光灯用器具２の清掃や点検を行う際等に用いられる。
【００１５】
ここで、本交換具１を用いて蛍光灯３を着脱することが可能な蛍光灯用器具２について説明する。蛍光灯用器具２は、押し込み可能な一対のソケット２１・２２が本体部２３に対向状態に配設されたものである。ソケット２１・２２は、蛍光灯用器具２の本体部２３と固定されるケース部２４と、ケース部２４に対して内方に押し込み自在であって、蛍光灯３の蛍光管３１の両端面を狭持する押し込み部２５とを備えており、押し込み部２５には、蛍光管３１の両端面から突出する一対のランプピン３２・３３が挿入される挿入口が形成されている。このような押し込み式のソケットには、押し込まれていない状態において、押し込み部２５の端面がケース部２４の端面に対して略同一平面上にある平面タイプ（図示するもの）と、押し込み部２５の端面がケース部２４の端面に対して蛍光灯３側に突出する突出タイプ（図示しない）とがある。本交換具１は、押し込み式ソケットが平面タイプ又は突出タイプのいずれの場合にも適用され、以下においては、平面タイプの押し込み式ソケットを用いて説明する。
【００１６】
本交換具１は、蛍光灯３を保持する第１の保持部４と、第１の保持部４と共に蛍光灯３を保持する第２の保持部５と、第１の保持部４及び第２の保持部５を蛍光灯３の着脱位置に位置させるとソケット２１と当接するソケット当接部６と、上記各部を取り付けるための梁部と、梁部７と略直角に連結された棒状の操作部８とを備える。
【００１７】
（第１の保持部）
第１の保持部４は、円筒状に成型された硬質塩化ビニル製のパイプ（塩ビパイプ）を用いて製作されており、蛍光管３１の外周面と当接する樋状部４１と、樋状部４１の溝の一端部に略対向して設けられ、蛍光管３１の外周面と当接する舌片部４２で構成される。本実施形態では、樋状部４１を上方が開放された半円筒状に形成し、舌片部４２を樋状部４１の片側の縁部から周方向に１８０°延出するように形成することで、樋状部４１及び舌片部４２を一体的に構成している。上記パイプには、蛍光管３１の管径に対して０．５〜１ｍｍ程度小さい内径のものを使用する。第１の保持部４は、樋状部４１と舌片部４２の間に蛍光灯３が貫入されると、パイプに発生する弾性復元力によって蛍光灯３を締め付け、蛍光灯３を破損させることなく保持するようになっている。ここで、樋状部４１及び舌片部４２の断面形状を調整することで、蛍光灯３に対する締め付け力を調整することができる。
【００１８】
第１の保持部４には、その長手方向に所定の角度Ｄ（例えば、３０°）だけ相対的に傾けた状態の蛍光灯３を、当該第１の保持部４の側方から中心方向（内方）に差し込むための切欠４３・４４が形成されている。樋状部４１に形成された切欠４３は、溝の周方向の寸法が、樋状部４１の長手方向の略中央部にある縁部から舌片部４２側の端部に向かうに従って、次第に小さくなるように形成されている。舌片部４２に形成された切欠４４は、舌片部４２の、樋状部４１の長手方向の寸法が、その基端部から先端部に向かうに従って、次第に小さくなるように形成されている。
【００１９】
第１の保持部４の全長は、蛍光灯３を保持したときの軸方向の保持力に相関するものであり、蛍光灯３の管径の３倍以上が望ましい。舌片部４２の外周面の中央部には、本交換具１に対して、保持した蛍光灯３のランプピン３２・３３の方向を調整するための目印４５が形成されている。第１の保持部４は、上述したような構成に限られるものではなく、鉄やアルミニウム等で生成された金属薄板を曲げ加工することにより製作されたものであってもよい。また、樋状部４１と舌片部４２をそれぞれ別々の部品として構成したものであってもよい。
【００２０】
（第２の保持部）
第２の保持部５は、第１の保持部４と同様に、蛍光管３１の管径に対して０．５〜１ｍｍ程度小さい内径の塩ビパイプを用いて製作されており、上方に開口５１が形成され、この開口５１から押し入れられた蛍光灯３を保持するようになっている。開口５１は、蛍光灯３を傷付けることなくスムーズに押し入れ可能であって、押し入れた蛍光灯３が当該開口５１から脱離しないように形成されており、開口５１両縁の寸法を蛍光管３１の管径に対して１ｍｍ程度小さくすることが望ましい。第２の保持部５は、第１の保持部４と共に蛍光灯３を保持した際に、蛍光灯３がこの２箇所でバランス良く保持されるように、第１の保持部４に対してその長手方向に所定の間隔離間して設けられている。第２の保持部５は、上述したような構成に限られるものではなく、第１の保持部４と同様に、金属鋼板を曲げ加工することにより製作されたものであってもよい。
【００２１】
（ソケット当接部）
ソケット当接部６は、ソケット２１・２２のケース部２４の外周曲面の外径と略等しい内径の塩ビパイプを用いて製作されており、第１の保持部４及び第２の保持部５を蛍光灯３の着脱位置に位置させると、その内面が一対のソケット２１・２２のうち、どちらか一方のソケットのケース部２４の外周曲面と当接するように構成されている。ソケット当接部６は、上方が開口された半円筒状に形成されており、その内面には、外径をソケット当接部６の内径と略等しく設定した第１の保持部４及び第２の保持部５が、所定間隔を離間してケース部２４の外周曲面の中心軸と同軸上に配設されている。ソケット当接部６の一端部には、ケース部２４の外周曲面と当接させるための外周曲面当接部６１が、舌片部４２の基端部が位置する側の縁部から、周方向に所定の角度（例えば、３０°）の範囲において、第１の保持部４に対して第２の保持部５が位置する側とは反対側に突出するように形成されている。ソケット当接部６の一端部において、外周曲面当接部６１を除く部分は、樋状部４１の切欠４３の切断面に沿うように形成されている。
【００２２】
（梁部及び操作部）
梁部７は、アルミ製の等辺山形鋼を用いて製作されており、ソケット当接部６に沿ってその下方に設けられている。梁部７の下方には、梁部７の撓みを防止するための補強部９が設けられている。補強部９は、アルミ製の型鋼を用いて製作されており、梁部７及び操作部８と連結できるように、断面がＬ字型の部材を略直角に接続したような形状となっている。操作部８は、高所に設置された蛍光灯用器具２に対して蛍光灯３を着脱する際に、蛍光灯用器具２の下方の床面から第１の保持部４、第２の保持部５及びソケット当接部６を操作するためのものである。操作部８は、アルミ製の角パイプを用いて製作されており、上記操作に際し、脚立等を用いることなく第１の保持部４、第２の保持部５及びソケット当接部６が蛍光灯用器具２に届くような長さに形成されている。操作部８は、第１の保持部４を容易に操作できるように、梁部７の長手方向において第１の保持部４の近傍に位置する箇所に接続されている。梁部７、操作部８及び補強部９は、このような構成に限られるものではなく、軽量であって、本交換具１の使用上、支障がない強度を有したものであればよい。なお、第１の保持部４、第２の保持部５、ソケット当接部６、梁部７、操作部８、及び補強部９は、ボルト１０によって適宜連結されている。
【００２３】
（蛍光灯の脱着手順）
次に、上記のように構成された本実施形態の蛍光灯交換具１を用いて、蛍光灯用器具２に対して蛍光灯３を着脱させる手順について説明する。図３は、本交換具を用いて蛍光灯用器具から蛍光灯を取り外す手順を示す。蛍光灯３は、一対のランプピン３２・３３が一対のソケット２１・２２の押し込み部２５の挿入口に挿嵌され、蛍光灯用器具２に取り付けられているものとする。
【００２４】
まず、図３（ａ）及び（ｂ）に示すように、本交換具１を蛍光灯３に対して所定の角度Ｄ傾けた状態にして、第１の保持部４の切欠４３・４４が蛍光灯３の一方のソケット２１側の側方に来るように位置させる。このような状態から、本交換具１を蛍光灯３の方向に移動させる。これにより、蛍光灯３は、第１の保持部４の中心方向に差し込まれる。本交換具１を上記箇所に位置できない場合は、蛍光灯３の中央付近に位置させてもよい。
【００２５】
次に、図３（ｃ）に示すように、蛍光灯３の中心軸と第１の保持部４の中心軸とが一致するまで本交換具１を旋回させる。これにより、蛍光灯３が、樋状部４１と舌片部４２の間に貫入されて第１の保持部４によって保持されると共に、開口５１から押し入れられて第２の保持部５によって保持される。このとき、第１の保持部４及び第２の保持部５は蛍光灯３の着脱位置に位置され、ソケット当接部６の外周曲面当接部６１は、ソケット２１のケース部２４の外周曲面と当接する。本交換具１を蛍光灯３の中央付近に位置させた場合には、本交換具１をソケット２１側に移動させながら旋回させることで、外周曲面当接部６１を上記箇所に当接させることができる。
【００２６】
次に、図３（ｄ）に示すように、本交換具１を他方のソケット２２側に押し込む。これにより、蛍光灯３のランプピン３２が、ソケット２１の押し込み部２５の挿入口から離脱される。このとき、外周曲面当接部６１がソケット２１のケース部２４の外周曲面を摺動するので、本交換具１を上記方向へ確実に押し込むことができる。次に、図３（ｅ）に示すように、ソケット２１の押し込み部２５の挿入口からランプピン３２を離脱させた状態で、本交換具１の離脱させたランプピン３２側を下方にずらす。次に、図３（ｆ）に示すように、ソケット２２の押し込み部２５の挿入口からランプピン３３を抜き出す。以上の動作を行うことにより、蛍光灯３を蛍光灯用器具２から取り外すことができる。
【００２７】
図４は、本交換具を用いて蛍光灯用器具に蛍光灯を取り付ける手順を示す。まず、図４（ａ）に示すように、蛍光灯用器具２に取り付ける蛍光灯３を第１の保持部４及び第２の保持部５に保持させる。このとき、舌片部４２に形成した目印４５によって、ランプピン３２・３３の方向調整を行っておく。次に、本交換具１を操作して、ランプピン３３を一方のソケット２２の押し込み部２５の挿入口に挿嵌し、蛍光灯３をこのソケット２２側の方向へ押し込ながら、ランプピン３２を他方のソケット２１の押し込み部２５の挿入口に挿嵌する。これにより、蛍光灯３を蛍光灯用器具２に取り付けることができ、蛍光灯用器具２の電源投入時には、蛍光灯３が点灯する。
【００２８】
次に、図４（ｂ）に示すように、第１の保持部４の切欠４３・４４付近を支点に回転させるように力を加えて、開口５１を通して第２の保持部５から蛍光灯３を取り外す。次に、図４（ｃ）及び（ｄ）に示すように、本交換具１を蛍光灯３に対して所定の角度Ｄまで旋回させて、切欠４３・４４を通して第１の保持部４から蛍光灯３を取り外す。これにより、図４（ｆ）に示すように、蛍光灯３を本交換具１から取り外すことができる。
【００２９】
本実施形態に係る蛍光灯交換具１によれば、複雑な操作を行うことなく簡単且つ迅速に、蛍光灯３を第１の保持部４及び第２の保持部５に保持させることができる。これにより、蛍光灯３を保持した状態で、操作部８を用いて蛍光灯３をソケット２１・２２に押し込むことにより、高所に設置された蛍光灯用器具２に対して、脚立や椅子等に乗ることなく、蛍光灯３を容易に着脱することが可能になる。また、蛍光灯用器具２に装着された蛍光灯３を第１の保持部４及び第２の保持部５に保持させる際に、蛍光灯３に無理な力が作用することがなく、蛍光灯３を傷つけることがない。また、部品数が少なく構造が簡単であると共に、各構成部品に塩ビパイプや鋼製型材等、入手しやすく安価な部材を用いているので、製作コストを低減でき、手入れが不要である。さらに、重量が軽いので、本交換具１を操作し易い。
【００３０】
（第２の実施形態）
本発明の第２の実施形態に係る蛍光灯交換具について図５乃至図８を参照して説明する。図５及び図６は、本実施形態に係る蛍光灯交換具の外観構成を示す。操作部８をその軸線を中心に回転自在に設け、操作部８の回転操作によって、いずれか一方のソケットの端面と当接したソケット当接部６が第１の保持部４の長手方向に対してスライドするように構成し、保持した蛍光灯３をそのソケットから離脱させるようにした点で第１の実施形態と相違する。また、本実施形態では、第１の保持部４及び第２の保持部５を一体的に構成して保持ユニット１１として設けている。本交換具１は、押し込み式ソケットが平面タイプの場合にのみ適用される。
【００３１】
（保持ユニット）
保持ユニット１１は、蛍光管３１の管径に対して０．５〜１ｍｍ程度小さい内径の塩ビパイプを用いて製作されており、上記第１の保持部４の樋状部４１の一端側が、上記第２の保持部５に延在するように形成されたものである。従って、保持ユニット１１は、第１の実施形態に記載の第１の保持部４及び第２の保持部５と同等の構成を有しており、樋状部４１、舌片部４２、切欠４３・４４、開口５１等の構成についても上記と同等である。また、第１の保持部４及び第２の保持部５と同様に、保持ユニット１１の外径は、ソケット当接部６の内径と略等しく設定されている。
【００３２】
（操作部）
操作部８は、梁部７と補強部９を介して固定される中空状の固定用スリーブ８１と、固定用スリーブ８１に対して回転自在に貫入される回転用ポール８２とで構成される。固定用スリーブ８１は、回転用ポール８２の外径と略等しい内径の塩ビパイプを用いて製作されており、補強部９と固定できるような長さに形成されている。回転用ポール８２は、アルミ製のパイプを用いて製作されており、上述のように蛍光灯用器具２に届くような長さに形成されている。回転用ポール８２の上端部には、回転用ポール８２とソケット当接部６と連結させるために、キャップ８３を設けている。このキャップ８３は、回転用ポール８２に対して回転しないように固定されている。
【００３３】
（ソケット当接部）
ソケット当接部６は、その内面が保持ユニット１１の外面に係合するようになっており、周方向の中央には、その長手方向に沿って長孔６２が形成されている。長孔６２には、ソケット当接部６の肉厚より若干大きい厚みの円筒状スペーサ６３が設けられており、上記保持ユニット１１がこのスペーサを介してボルト１０によって梁部７と固定されている。ソケット当接部６は、回転用ポール８２を反時計周りに回転させると、保持ユニット１１に対して舌片部４２が位置する側の方向（舌片部４２側方向）にスライドするように、回転用ポール８２のキャップ８３と回転用ポール８２の中心軸に対して偏心した位置で連結されている。また、本実施形態では、ソケット当接部６の一端部には、第１の実施形態の記載と同様の内容に加えて、いずれか一方のソケットのケース部２４の内方端面と当接させるための端面当接部６４が、ソケット当接部６を舌片部４２側方向にスライドさせる前の状態（第１の状態）において、縁部から延出して舌片部４２を覆うように形成されている。端面当接部６４の外周曲面当接側の端面は、図６（ａ）及び（ｂ）に示すように、第１の状態において、保持ユニット１１の舌片部４２側の端面と略同一平面上にあり、図６（ｅ）及び（ｆ）に示すように、ソケット当接部６を舌片部４２側方向にスライドさせた状態（第２の状態）において、保持ユニット１１の舌片部４２側の端面から突出する。また、上述の目印４５を端面当接部６４の外周面の中央部に形成している。
【００３４】
（蛍光灯の脱着手順）
次に、上記のように構成された本実施形態の蛍光灯交換具１を用いて、蛍光灯用器具２に対して蛍光灯３を着脱させる手順について説明する。図７は、本交換具を用いて蛍光灯用器具から蛍光灯を取り外す手順を示す。まず、図７（ａ）及び（ｂ）に示すように、本交換具１を第１の状態にすると共に、蛍光灯３に対して所定の角度Ｄ傾けた状態にして、保持ユニット１１の切欠４３・４４が蛍光灯３の一方のソケット２１側の側方に来るように位置させる。このような状態から、本交換具１を蛍光灯３の方向に移動させる。これにより、蛍光灯３は、保持ユニット１１の中心方向に差し込まれる。本交換具１を上記箇所に位置できない場合は、蛍光灯３の中央付近に位置させてもよい。
【００３５】
次に、図７（ｃ）に示すように、蛍光灯の中心軸と保持ユニット１１の中心軸とが一致するまで本交換具１を旋回させる。これにより、蛍光灯３が、樋状部４１と舌片部４２の間に貫入されると共に、開口５１から押し入れられて保持ユニット１１よって保持される。このとき、保持ユニット１１は蛍光灯３の着脱位置に位置され、ソケット当接部６の外周曲面当接部６１は、ソケット２１のケース部２４の外周曲面と当接し、ソケット当接部６の端面当接部６４は、ソケット２１のケース部２４の内方端面と当接する。本交換具１を蛍光灯３の中央付近に位置させた場合には、本交換具１をソケット２１側に移動させながら旋回させることで、外周曲面当接部６１及び端面当接部６４を上記箇所に当接させることができる。
【００３６】
次に、図７（ｄ）に示すように、回転用ポール８２を反時計周りに回転させて本交換具１を第２の状態にする。これにより、端面当接部６４の外周曲面当接側の端面が、保持ユニット１１の舌片部４２側の端面から突出し、端面当接部６４がソケット２１のケース部２４の内方端面と当接していることから、保持ユニット１１が他方のソケット２２側の方向に移動する。これにより、保持した蛍光灯３がソケット２２側の方向に押し込まれ、蛍光灯３のランプピン３２が、ソケット２１の押し込み部２５の挿入口から離脱される。
【００３７】
図７（ｅ）及び図７（ｆ）に示す内容はそれぞれ、図４（ｅ）及び図４（ｆ）を示して説明した内容と同様である。以上の動作を行うことにより、蛍光灯３を蛍光灯用器具２から取り外すことができる。
【００３８】
図８は、本交換具を用いて蛍光灯用器具に蛍光灯を取り付ける手順を示す。まず、図８（ａ）に示すように、本交換具１を第１の状態にして、蛍光灯用器具２に取り付ける蛍光灯３を保持ユニット１１に保持させる。このとき、目印４５によって、ランプピン３２・３３の方向調整を行っておく。次に、本交換具１を操作して、ランプピン３３を一方のソケット２２の押し込み部２５の挿入口に挿嵌し、蛍光灯３をこのソケット２２側の方向へ押し込ながら、ランプピン３２を他方のソケット２１の押し込み部２５の挿入口に挿嵌する。
【００３９】
ここで、ランプピン３２を挿嵌し難い場合には、まず、ソケット当接部６の端面当接部６４をソケット２１のケース部２４の内方端面と当接させた状態で、回転用ポール８２を反時計周りに回転させて本交換具１を第２の状態にする。これにより、保持した蛍光灯３がソケット２２側の方向に押し込まれ、ランプピン３２の挿嵌スペースが確保される。次に、外周曲面当接部６１をソケット２１のケース部２４の外周曲面と当接させた状態で、回転用ポール８２を時計周りに回転させて本交換具１を第１の状態に戻すことで、ランプピン３２がソケット２１の押し込み部２５の挿入口に挿嵌される。以上の動作を行うことにより、蛍光灯３を蛍光灯用器具２に取り付けることができ、蛍光灯用器具２の電源投入時には、蛍光灯３が点灯する。
【００４０】
次に、図８（ｂ）に示すように、保持ユニット１１の切欠４３・４４付近を支点に回転させるように力を加えて、開口５１から蛍光灯３を抜け出させる。次に、図８（ｃ）及び（ｄ）に示すように、本交換具１を蛍光灯３に対して所定の角度Ｄまで旋回させて、切欠４３・４４から蛍光灯３を抜け出させる。これにより、図８（ｆ）に示すように、蛍光灯３を本交換具１から取り外すことができる。
【００４１】
本実施形態に係る蛍光灯交換具１によれば、保持ユニット１１を蛍光灯３の脱着位置に位置決めした状態で、回転用ポール８２を回転させると、蛍光灯３を一方のソケット２１から離脱させることができるので、操作部８の周辺に障害物等があり、蛍光灯用器具２に装着された蛍光灯３をソケット２２に押し込むように操作部８を操作することができない場合であっても、蛍光灯３を取り外すことが可能になる。
【００４２】
（第３の実施形態）
本発明の第３の実施形態に係る蛍光灯交換具について図９乃至図１２を参照して説明する。図９及び図１０は本実施形態に係る蛍光灯交換具の外観構成を示す。本交換具１は、操作部８を回動自在に軸支し、操作部８の回動操作によって、いずれか一方のソケットの端面と当接したソケット当接部６が第１の保持部４の長手方向に対してスライドするように構成した点で第２の実施形態と相違する。また、本実施形態では、第２の実施形態に記載のソケット当接部６を長手方向の略中央で分割して、開口５１側の部分６５と舌片部４２側の部分６６で構成し、外周曲面当接側及び端面当接部６４が形成された舌片部４２側の部分６６のみをスライド自在としている。本交換具１は、第２の実施形態と同様に、押し込み式ソケットが平面タイプの場合にのみ適用される。
【００４３】
（操作部）
操作部８は、梁部７と補強部９を介して固定される固定用ケース８４と、固定用ケース８４に対して回動自在に軸支された回動用ポール８５とで構成される。固定用ケース８４は、アルミ製の溝形鋼を用いて製作されており、底部８６と底部８６から垂直に延出する一対の側壁８７・８８によって、断面がコの字状になっている。一対の側壁８７・８８の内面間の寸法は、回動用ポール８５の断面における平行な外面間の最大寸法より大きく設定されている。固定用ケース８４は、片側の側壁８７が、補強部９における梁部７に対して略直角に延出した部分と連結され、開口部分が、操作部８の長手方向及び保持ユニット１１の長手方向のいずれにも垂直な方向に向くように設けられている。回動用ポール８５は、アルミ製のパイプを用いて製作されており、上述のように蛍光灯用器具２に届くような長さに形成されている。回動用ポール８５は、固定用ケース８４の一対の側壁８７・８８間に配置される共に、固定用ケース８４の底部８６と支点８９で回動自在に軸支されている。回動用ポール８５には、固定用ケース８４の側壁８７と当接させることにより、回動用ポール８５が梁部７と略直角になるように付勢する引張コイルばね９０が設けられている。
【００４４】
ソケット当接部６の舌片側４２側の部分６６は、引張コイルばね９０の付勢力に抗して回動用ポール８５を回動させると、舌片部４２側方向にスライドするように、回動用ポール８５の上端部と連結されている。第２の実施形態と同様に、端面当接部６４の外周曲面当接側の端面は、図９（ａ）及び（ｂ）に示すように、第１の状態において、保持ユニット１１の舌片部４２側の端面と略同一平面上にあり、図１０（ｅ）及び（ｆ）に示すように、第２の状態において、保持ユニット１１の舌片部４２側の端面から突出する。
【００４５】
（蛍光灯の脱着手順）
次に、上記のように構成された本実施形態の蛍光灯交換具１を用いて、蛍光灯用器具２に対して蛍光灯３を着脱させる手順について説明する。図１１は、本交換具を用いて蛍光灯用器具から蛍光灯を取り外す手順を示す。図１１（ａ）乃至図１１（ｃ）に示す内容はそれぞれ、図７（ａ）乃至図７（ｃ）を示して説明した内容と同様である。次に、図１１（ｄ）に示すように、回動用ポール８５を時計周りに回動させて本交換具１を第２の状態にする。これにより、保持した蛍光灯３が他方のソケット２２側の方向に押し込まれ、蛍光灯３のランプピン３２が、ソケット２１の押し込み部２５の挿入口から離脱される。図１１（ｅ）及び図１１（ｆ）に示す内容はそれぞれ、図４（ｅ）及び図４（ｆ）を示して説明した内容と同様である。以上の動作を行うことにより、蛍光灯３を蛍光灯用器具２から取り外すことができる。
【００４６】
図１２は、本交換具を用いて蛍光灯用器具に蛍光灯３を取り付ける手順を示す。まず、図１２（ａ）に示すように、蛍光灯３を保持ユニット１１に保持させた状態で、ランプピン３３を一方のソケット２２の押し込み部２５の挿入口に挿嵌し、蛍光灯３をこのソケット２２側の方向へ押し込ながら、ランプピン３２を他方のソケット２１の押し込み部２５の挿入口に挿嵌する。
【００４７】
ここで、ランプピン３２を挿嵌し難い場合には、まず、ソケット当接部６の端面当接部６４をソケット２１のケース部２４の内方端面と当接させた状態で、回動用ポール８５を時計周りに回動させて本交換具１を第２の状態にする。次に、外周曲面当接部６１をソケット２１のケース部２４の外周曲面と当接させた状態で、回動用ポール８５を反時計周りに回動させて本交換具１を第１の状態に戻すことで、ランプピン３２がソケット２１の押し込み部２５の挿入口に挿嵌される。以上の動作を行うことにより、蛍光灯３を蛍光灯用器具２に取り付けることができる。
【００４８】
図１２（ｂ）乃至図１２（ｅ）に示す内容はそれぞれ、図８（ｂ）乃至図８（ｅ）を示して説明した内容と同様であり、これによって、蛍光灯３を本交換具１から取り外すことができる。
【００４９】
なお、本発明は、上記各種実施形態の構成に限られず、発明の趣旨を変更しない範囲で種々の変形が可能である。図１３に示すように、梁部７を上述した補強部９のような形状にして、梁部７自体でその撓みを防止するようにしたものであってもよい。また、第１の保持部４及び第２の保持部５の内面に、内径を種々に設定して第１の保持部４及び第２の保持部５と同等に形成した調整アダプタを着脱自在に設けて、様々な管径の蛍光灯３に対応できるように構成したものであってもよい。また、樋状部４１及び舌片部４２が蛍光管３１の外周面に当接したときの当接箇所を変更して、本交換具１を蛍光灯３の斜め下に位置させた状態から蛍光灯３の方向に移動させた場合であっても、蛍光灯３が第１の保持部４の中心方向に差し込まれるようにしたものであってもよい。
【図面の簡単な説明】
【００５０】
【図１】本発明の第１の実施形態に係る蛍光灯交換具を示す斜視図。
【図２】（ａ）は同蛍光灯交換具を示す平面図、（ｂ）は（ａ）の立面図、（ｃ）は（ｂ）の矢視Ａ方向の側面図、（ｄ）は（ｂ）の矢視Ｂ方向の側面図。
【図３】（ａ）乃至（ｆ）は同蛍光灯交換具を用いて蛍光灯用器具から蛍光灯を取り外す手順を示す図。
【図４】（ａ）乃至（ｅ）は同蛍光灯交換具を用いて蛍光灯用器具に蛍光灯を取り付ける手順を示す図。
【図５】本発明の第２の実施形態に係る蛍光灯交換具を示す斜視図。
【図６】（ａ）は第１の状態での同蛍光灯交換具を示す平面図、（ｂ）は（ａ）の立面図、（ｃ）は（ｂ）の矢視Ａ方向の側面図、（ｄ）は（ｂ）の矢視Ｂ方向の側面図、（ｅ）は第２の状態での同蛍光灯交換具を示す平面図、（ｆ）は（ｅ）の立面図。
【図７】（ａ）乃至（ｆ）は同蛍光灯交換具を用いて蛍光灯用器具から蛍光灯を取り外す手順を示す図。
【図８】（ａ）乃至（ｅ）は同蛍光灯交換具を用いて蛍光灯用器具に蛍光灯を取り付ける手順を示す図。
【図９】本発明の第３の実施形態に係る蛍光灯交換具を示す斜視図。
【図１０】（ａ）は第１の状態での同蛍光灯交換具を示す平面図、（ｂ）は（ａ）の立面図、（ｃ）は（ｂ）の矢視Ａ方向の側面図、（ｄ）は（ｂ）の矢視Ｂ方向の側面図、（ｅ）は第２の状態での同蛍光灯交換具を示す平面図、（ｆ）は（ｅ）の立面図。
【図１１】（ａ）乃至（ｆ）は同蛍光灯交換具を用いて蛍光灯用器具から蛍光灯を取り外す手順を示す図。
【図１２】（ａ）乃至（ｅ）は同蛍光灯交換具を用いて蛍光灯用器具に蛍光灯を取り付ける手順を示す図。
【図１３】梁部自体でその撓みを防止するように構成した蛍光灯用器具を示す斜視図。
【符号の説明】
【００５１】
１  蛍光灯交換具
２  蛍光灯用器具
３  蛍光灯
４  第１の保持部
５  第２の保持部
６  ソケット当接部
７  梁部
８  操作部
２１、２２  ソケット
４１  樋状部
４２  舌片部
４３、４４  切欠
５１  開口
８１  固定用スリーブ
８２  回転用ポール
８４  固定用ケース
８５  回動用ポール
９０  引張コイルばね
【図１】
0004909852.tif 000002
【図２】
0004909852.tif 000003
【図３】
0004909852.tif 000004
【図４】
0004909852.tif 000005
【図５】
0004909852.tif 000006
【図６】
0004909852.tif 000007
【図７】
0004909852.tif 000008
【図８】
0004909852.tif 000009
【図９】
0004909852.tif 000010
【図１０】
0004909852.tif 000011
【図１１】
0004909852.tif 000012
【図１２】
0004909852.tif 000013
【図１３】
0004909852.tif 000014